(57)【要約】【課題】シートフィードタイプのスキャナにあって、（ａ）原稿を読む際に使う白板、（ｂ）色補正用基準板、（ｃ）原稿色とは異なる色の板、（ｄ）バックライト、のうち少なくとも２つ以上の機能を満足させるプラテンを含む画像読み取り装置および画像読み取り装置制御プログラムを提供する。【解決手段】画像読み取り装置は、原稿を搬送する原稿搬送手段と、前記原稿搬送手段により搬送される原稿の背面から該原稿を押さえるためのプラテンと、前記原稿搬送手段により搬送される原稿の画像を読み取る画像読み取り手段を具備し、前記プラテンは、前記原稿搬送手段による搬送方向に円状または扇状であり、該搬送方向とは垂直の方向に複数の平板または曲面を有している。【選択図】図１
2008005097.tif 000002
【特許請求の範囲】
【請求項１】
原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは、前記原稿搬送手段による搬送方向に円状または扇状であり、該搬送方向とは垂直の方向に複数の平板または曲面を有している
ことを特徴とする画像読み取り装置。
【請求項２】
前記プラテンの平面または曲面は、前記画像読み取り手段により原稿の画像を読み取る際に原稿の背面に押し当てる第１の色を有した第１面と、
前記第１面の第１の色とは異なる第２の色を有した第２面とを有している
ことを特徴とする請求項１に記載の画像読み取り装置。
【請求項３】
前記プラテンの平面または曲面は、前記画像読み取り手段により原稿の画像を読み取る際に原稿の背面に押し当てる第１の色を有した第１面と、
光を透過する素材から構成されている第２面とを有している
ことを特徴とする請求項１に記載の画像読み取り装置。
【請求項４】
前記プラテンの平面または曲面は、前記画像読み取り手段により原稿の画像を読み取る際に原稿の背面に押し当てる第１の色を有した第１面と、
前記第１面の第１の色とは異なる第２の色を有した第２面と、
色補正用基準として使われる第３の色を有した第３面とを有している
ことを特徴とする請求項１に記載の画像読み取り装置。
【請求項５】
前記第１面の第１の色は白色であり、前記第２面の第２の色は黒色である
ことを特徴とする請求項２、３または４に記載の画像読み取り装置。
【請求項６】
原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは、前記画像読み取り手段に対向する面は複数色からなり、前記原稿搬送手段による搬送に合わせて該複数の面を移動させる
ことを特徴とする画像読み取り装置。
【請求項７】
原稿が挿入されるまでは、前記画像読み取り手段に対向する面のプラテンは色補正用基準の面となっており、
ある特定の位置に配置された原稿通過センサーで前記原稿が特定の位置を通過することを検知すると、前記画像読み取り手段に対向する面のプラテンは前記色補正用基準の面以外の面となる
ことを特徴とする画像読み取り装置。
【請求項８】
前記プラテンが色補正用基準の面以外の面になる際に移動する速度は原稿の搬送速度に合わせた速度とする
ことを特徴とする請求項７に記載の画像読み取り装置。
【請求項９】
前記プラテンが前記第２面の位置から、前記第１面の位置になる際に回転する速度は原稿の搬送速度に合わせて回転する
ことを特徴とする請求項２または３に記載の画像読み取り装置。
【請求項１０】
原稿の画像を読み取る際に原稿の背面に押し当てる第１の色を有している第１面は、光を透過する素材から成り立っている
ことを特徴とする請求項１に記載の画像読み取り装置。
【請求項１１】
前記プラテンの中央部には、照明装置を有している
ことを特徴とする請求項１に記載の画像読み取り装置。
【請求項１２】
原稿の透過度を読み取る透過度センサーを具備し、
前記透過度センサーにより読み取った原稿の透過度が所定の透過度以上であった場合には、前記照明装置を点灯する
ことを特徴とする請求項１１に記載の画像読み取り装置。
【請求項１３】
原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは前記画像読み取り手段に対向する面は複数色である、画像読み取り装置に、
前記原稿搬送手段によって原稿を搬送する手順と、
前記原稿搬送手段による搬送に合わせて前記複数の面を移動させる手順と、
前記画像読み取り手段によって前記原稿搬送手段により搬送される原稿の画像を読み取らせる手順
を実行させることを特徴とする画像読み取り装置制御プログラム。
【請求項１４】
原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段と、
ある特定の位置に配置された原稿通過センサー
を具備し、
前記プラテンは前記画像読み取り手段に対向する面は複数色である、画像読み取り装置に、
原稿が挿入されるまでは、前記画像読み取り手段に対向する面のプラテンを色補正用基準の面とする手順と、
前記原稿通過センサーで前記原稿が特定の位置を通過することを検知すると、前記画像読み取り手段に対向する面のプラテンを前記色補正用基準の面以外の面とする手順
を実行させることを特徴とする画像読み取り装置制御プログラム。
【発明の詳細な説明】
【技術分野】
【０００１】
本発明は、画像読み取り装置および画像読み取り装置制御プログラムに関する。
【背景技術】
【０００２】
一般にＣＣＤ（Ｃｈａｒｇｅ  Ｃｏｕｐｌｅｄ  Ｄｅｖｉｃｅ）センサー、ＣＩＳ（Ｃｏｎｔａｃｔ  Ｉｍａｇｅ  Ｓｅｎｓｏｒ、コンタクトイメージセンサー、密着型撮像素子）などの撮像デバイスを用いて原稿の画像を読み込む際には、原稿背面に白色に代表されるプラテン板を充てることにより、原稿画像の色情報を正確に読み取ることができ、かつ原稿を一定の圧力で押さえることができるため、安定した画像を得られることが知られている。また、ＣＣＤセンサーやＣＩＳなどの撮像デバイスの電気的特性を補正するために、白色で代表される色補正用基準板の基準色を読み取って補正する方法（シェーディング補正）が一般的に知られている。この色補正用基準板は読み取りセンサーの校正や補正をするための基準値となるため、汚れが付かないようにすることが望まれている。従来技術としてフラットベットタイプのスキャナでは、色補正用基準板はプラテンガラスの中に装着されており汚れが付かないように隠されているが、このような方式ではフラットベットタイプのスキャナにしか使えず、シートフィードタイプのスキャナでは使用することができない。
【０００３】
一方で、原稿サイズを正確に判断するために原稿色とは異なる色のプラテンを原稿背面に押し当てることにより、様々な原稿種類における正確な画像サイズを得られることが知られている。従来技術としてフラットベットタイプのスキャナでは、プラテンカバーが閉まる際にランプを点灯して、あたかも原稿背面に黒板を押し当てたかのように実現し、取得した画像を画像処理することにより原稿サイズを自動検知する方法がある（例えば、特許文献１）が、このような方式ではフラットベットタイプのスキャナにしか使えず、シートフィードタイプのスキャナでは使用することができない。
【０００４】
また一方で、透過原稿やフィルム等の透明・半透明の原稿を読み込む際に、原稿背面からバックライトを照射しながらＣＣＤなどの撮像装置で画像を読み込むと、にじみの少ないかつ色再現性の良い綺麗な画像を得られることが一般的に知られている。フラットベットタイプのスキャナでは、プラテンカバーにバックライトを入れ込み、その上に白板を脱着できるようにしておき、一般原稿を読み込む際には白板をはずさず使用し、透過原稿を読み込む際には白板をはずしてバックライトを点灯させる方式が知られている。しかし、このような方式ではフラットベットタイプのスキャナにしか使えず、シートフィードタイプのスキャナでは使用することができない。
【０００５】
以上のように、原稿の背面に必要なものとして、（ａ）原稿を読む際に使う白板、（ｂ）色補正用基準板、（ｃ）原稿色とは異なる色の板、（ｄ）バックライト、の４つとなる。コストダウンのために（ａ）と（ｂ）を同一の白板とすることもできるが、原稿を通すと汚れが発生するため、（ａ）と（ｂ）は別々なものとし、特に（ｂ）は汚れないような構造とすることが望まれている。フラットベットタイプのスキャナでは、従来技術を使用することにより同一機器でこれらの機能を搭載することが可能であるが、シートフィードタイプのスキャナでは、原稿背面に位置するプラテンをその都度交換する方法しかなかった。
【特許文献１】特開２００４−３４９９９６号公報
【発明の開示】
【発明が解決しようとする課題】
【０００６】
本発明は、このような背景技術の状況の中でなされたもので、シートフィードタイプのスキャナにあって、（ａ）原稿を読む際に使う白板、（ｂ）色補正用基準板、（ｃ）原稿色とは異なる色の板、（ｄ）バックライト、のうち少なくとも２つ以上の機能を満足させるプラテンを含む画像読み取り装置および画像読み取り装置制御プログラムを提供することを目的とする。
【課題を解決するための手段】
【０００７】
かかる目的を達成するための本発明の要旨とするところは、次の各項の発明に存する。
［１］  原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは、前記原稿搬送手段による搬送方向に円状または扇状であり、該搬送方向とは垂直の方向に複数の平板または曲面を有している
ことを特徴とする画像読み取り装置。
【０００８】
［２］  前記プラテンの平面または曲面は、前記画像読み取り手段により原稿の画像を読み取る際に原稿の背面に押し当てる第１の色を有した第１面と、
前記第１面の第１の色とは異なる第２の色を有した第２面とを有している
ことを特徴とする［１］に記載の画像読み取り装置。
【０００９】
［３］  前記プラテンの平面または曲面は、前記画像読み取り手段により原稿の画像を読み取る際に原稿の背面に押し当てる第１の色を有した第１面と、
光を透過する素材から構成されている第２面とを有している
ことを特徴とする［１］に記載の画像読み取り装置。
【００１０】
［４］  前記プラテンの平面または曲面は、前記画像読み取り手段により原稿の画像を読み取る際に原稿の背面に押し当てる第１の色を有した第１面と、
前記第１面の第１の色とは異なる第２の色を有した第２面と、
色補正用基準として使われる第３の色を有した第３面とを有している
ことを特徴とする［１］に記載の画像読み取り装置。
【００１１】
［５］  前記第１面の第１の色は白色であり、前記第２面の第２の色は黒色である
ことを特徴とする［２］、［３］または［４］に記載の画像読み取り装置。
【００１２】
［６］  原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは、前記画像読み取り手段に対向する面は複数色からなり、前記原稿搬送手段による搬送に合わせて該複数の面を移動させる
ことを特徴とする画像読み取り装置。
【００１３】
［７］  原稿が挿入されるまでは、前記画像読み取り手段に対向する面のプラテンは色補正用基準の面となっており、
ある特定の位置に配置された原稿通過センサーで前記原稿が特定の位置を通過することを検知すると、前記画像読み取り手段に対向する面のプラテンは前記色補正用基準の面以外の面となる
ことを特徴とする画像読み取り装置。
【００１４】
［８］  前記プラテンが色補正用基準の面以外の面になる際に移動する速度は原稿の搬送速度に合わせた速度とする
ことを特徴とする［７］に記載の画像読み取り装置。
【００１５】
［９］  前記プラテンが前記第２面の位置から、前記第１面の位置になる際に回転する速度は原稿の搬送速度に合わせて回転する
ことを特徴とする［２］または［３］に記載の画像読み取り装置。
【００１６】
［１０］  原稿の画像を読み取る際に原稿の背面に押し当てる第１の色を有している第１面は、光を透過する素材から成り立っている
ことを特徴とする［１］に記載の画像読み取り装置。
【００１７】
［１１］  前記プラテンの中央部には、照明装置を有している
ことを特徴とする［１］に記載の画像読み取り装置。
【００１８】
［１２］  原稿の透過度を読み取る透過度センサーを具備し、
前記透過度センサーにより読み取った原稿の透過度が所定の透過度以上であった場合には、前記照明装置を点灯する
ことを特徴とする［１１］に記載の画像読み取り装置。
【００１９】
［１３］  原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは前記画像読み取り手段に対向する面は複数色である、画像読み取り装置に、
前記原稿搬送手段によって原稿を搬送する手順と、
前記原稿搬送手段による搬送に合わせて前記複数の面を移動させる手順と、
前記画像読み取り手段によって前記原稿搬送手段により搬送される原稿の画像を読み取らせる手順
を実行させることを特徴とする画像読み取り装置制御プログラム。
【００２０】
［１４］  原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段と、
ある特定の位置に配置された原稿通過センサー
を具備し、
前記プラテンは前記画像読み取り手段に対向する面は複数色である、画像読み取り装置に、
原稿が挿入されるまでは、前記画像読み取り手段に対向する面のプラテンを色補正用基準の面とする手順と、
前記原稿通過センサーで前記原稿が特定の位置を通過することを検知すると、前記画像読み取り手段に対向する面のプラテンを前記色補正用基準の面以外の面とする手順
を実行させることを特徴とする画像読み取り装置制御プログラム。
【発明の効果】
【００２１】
本発明にかかる画像読み取り装置および画像読み取り装置制御プログラムによれば、本構成を有していない場合に比較して、原稿の背面に必要な要因である、（ａ）原稿を読む際に使う白板、（ｂ）色補正用基準板、（ｃ）原稿色とは異なる色の板、（ｄ）バックライト、のうち少なくとも２つ以上の機能を満足させるシートフィードタイプのスキャナ装置を実現することができる。
また、（ａ）原稿を読む際に使う白板と（ｂ）色補正用基準板とを別々なものとすることができるため、原稿を搬送しても白基準板が汚れにくく、安定した画像を読み取ることができる。
【発明を実施するための最良の形態】
【００２２】
以下、図面に基づき本発明の好適な各種の実施の形態を説明する。
図１、図２を用いて、本発明の第１の実施の形態の画像読み取り装置の構成例を説明する。図１は、画像読み取り装置の構成例の側面図である。図２は、画像読み取り装置の構成例の斜視図である。
画像読み取り装置は、いわゆるシートフィードタイプのスキャナである。つまり、ＣＣＤセンサー、ＣＩＳ等からなる撮像デバイスを固定しておき、原稿を移動させながらその原稿の画像を読み取るものである。なお、原稿とは、画像読み取り装置が入力の対象とするものであり文書等の紙のみならず、プラスチック等の素材からできたシート状のものを含む。また、用紙サイズも問わない。したがって、切符、定期券、紙幣等であってもよい。
【００２３】
また、本実施の形態である画像読み取り装置は、コンピュータを内蔵しており、そのコンピュータを動作させるプログラムによって画像読み取り装置を制御する。そのプログラムは、画像読み取り装置内のＲＯＭ等のメモリに予め記憶させておくことができる。また、プログラムは、画像読み取り装置と通信回線を介して接続されている外部コンピュータからダウンロードすることも可能である。
【００２４】
画像読み取り装置は、図１、図２に示すように、プラテン１２、ピンチシャフト（前）１３Ａ、フィードインローラー１３Ｂ、ピンチシャフト（後）１３Ｃ、ＥＸＩＴローラー１３Ｄ、原稿検知センサー１４Ａ、フィードインセンサー１４Ｂ、撮像デバイス１７、バッフル（前）２３、駆動装置２１、ギア２２を有している。
ピンチシャフト（前）１３Ａ、フィードインローラー１３Ｂ、ピンチシャフト（後）１３Ｃ、ＥＸＩＴローラー１３Ｄは、原稿１１を搬送する。モータ等が内蔵されている駆動装置２１によってギア２２等を介して回転する。この回転によって、原稿１１が搬送される。なお、回転の方向によって、原稿１１を順方向（挿入口から撮像デバイス１７へ向かう方向、図１では左から右）に搬送することはもちろんのこと、逆方向（挿入口から排出される方向、図１では右から左）に搬送することもできる。ピンチシャフト（前）１３Ａ、フィードインローラー１３Ｂは原稿１１を挿入させる役割を持ち、ピンチシャフト（後）１３Ｃ、ＥＸＩＴローラー１３Ｄは原稿１１を排出させる役割を持つ。
【００２５】
原稿検知センサー１４Ａ、フィードインセンサー１４Ｂは、原稿１１が通過したか否かを検知する。
撮像デバイス１７は、ＣＣＤセンサーまたはＣＩＳ等からなり、ガラス１５を通して原稿１１またはプラテン１２の画像を読み取る。
プラテン１２は、撮像デバイス１７によって撮像される際に、原稿１１を背面から押さえる。また、色補正用基準板を撮像デバイス１７に読み取らせるために、その色補正用基準板を撮像デバイス１７に対向させることも行う。プラテン１２については後に詳述する。
【００２６】
原稿１１が挿入されて排出されるまでの概略を説明する。
原稿１１は、読み取りたい原稿１１の面を下にしてピンチシャフト（前）１３Ａとフィードインローラー１３Ｂの間に挿入される。その際、原稿検知センサー１４Ａによって、原稿１１が挿入されたことが検知される。
ピンチシャフト（前）１３Ａ、フィードインローラー１３Ｂの回転によって、原稿１１が搬送される。
【００２７】
原稿１１がピンチシャフト（前）１３Ａ、フィードインローラー１３Ｂによって移動すると、原稿１１の先端がフィードインセンサー１４Ｂによって検知される。
原稿１１が撮像デバイス１７の位置までくると、撮像デバイス１７は原稿１１の画像を読み取る。撮像デバイス１７は固定したままで、原稿１１が移動する。
そのまま原稿１１が搬送されることによって、原稿１１全面の画像が読み取られる。
そして、原稿１１の先端がピンチシャフト（後）１３Ｃ、ＥＸＩＴローラー１３Ｄに到達すると、ピンチシャフト（後）１３Ｃ、ＥＸＩＴローラー１３Ｄの回転によって原稿１１が排出される。
なお、原稿検知センサー１４Ａ、フィードインセンサー１４Ｂ等によって原稿１１が検知されると、プラテン１２、ピンチシャフト（前）１３Ａ、フィードインローラー１３Ｂ、ピンチシャフト（後）１３Ｃ、ＥＸＩＴローラー１３Ｄ等の動作が制御される。この動作についても後述する。
【００２８】
プラテン１２について説明する。
原稿１１が撮像デバイス１７の位置まで搬送された場合、原稿１１の背面に位置するプラテン１２は、原稿１１を押さえる。図１、図２、図３に示すように、プラテン１２の搬送方向の断面は扇状（円弧状）となっている。そして、このプラテン１２は、複数の平板または曲面（第１面１２１、第２面１２２、第３面１２３、第４面（原稿挿入ガイド面）１２４）を有している。その順番は、図３に示すように、原稿挿入口に近い順に、第４面（原稿挿入ガイド面）１２４、第１面１２１、第２面１２２、第３面１２３となっている。
例として、第１面１２１は、一般原稿を読み取る際に利用される白板である。第２面１２２は、原稿サイズを検知するために必要な黒板である。第３面１２３は、撮像デバイス１７を校正・補正するための基準に使われる白基準板である。この第３面１２３には汚れの付着を避けるために、少し窪んだ位置に白基準板が取り付けられている。そのほかに、原稿１１を挿入するために必要なガイドの役目となる第４面（原稿挿入ガイド面）１２４もある。
【００２９】
次に作用・働き（動作）を説明する。
まず、電源投入直後あるいは原稿読み取り直前に、撮像デバイス１７の校正・補正を行うためにプラテン１２は第３面１２３の白基準板が撮像デバイス１７と対向する位置に回転する。この補正行為は一般的にシェーディング補正と呼ばれており、撮像デバイス１７の各画素毎のバラツキを補正するために、基準となる白色のプレートを読むことで補正値を決定している。撮像デバイス１７のバラツキは周囲温度などの環境に影響されるため、シェーディング補正は原稿１１を読み取る直前に行うのが理想的である。また、このシェーディング補正を行うタイミングは原稿１１が挿入されたことを検知する原稿検知センサー１４Ａが原稿１１を検知した場合に開始することもできる。この場合には、原稿１１は所定の位置（フィードインセンサー１４Ｂの位置）まで搬送されるが（一般的にプレフィードと呼ばれる）、シェーディング補正を行っている間はその位置で止まっていることになる。
【００３０】
上記シェーディング補正が終了すると、プラテン１２は第１面１２１が撮像デバイス１７に対向するまで回転し原稿１１の挿入を開始する。その場合の状態を図４に示す。つまり、原稿１１はフィードインセンサー１４Ｂまで到達しているが、撮像デバイス１７までは到達していない状態であり、プラテン１２の第１面１２１が撮像デバイス１７と対向している。つまり、原稿１１の搬送を待っている状態である。
原稿１１を挿入する際に、多少カールした原稿でもきちんと挿入できるように第４面（原稿挿入ガイド面）１２４の原稿挿入ガイドが必要となる。つまり、第４面（原稿挿入ガイド面）１２４は第１面１２１の隣にあり、挿入口に近い位置にある。そして、図３に示すように、第４面（原稿挿入ガイド面）１２４と第１面１２１はある角度（鈍角）を有しているので、第１面１２１が水平状態になっている場合は、第４面（原稿挿入ガイド面）１２４が原稿１１のガイド役になっている。
【００３１】
フィードインローラー１３Ｂが回転することにより原稿１１の搬送が開始される。原稿１１が搬送されている間、撮像デバイス１７では画像データを取得してメモリに保存される。約５〜１０ｃｍ程度原稿１１の挿入が終了すると、次にフィードインローラー１３Ｂは逆転を始め、原稿１１の引き戻しが行われる。それと同時にプラテン１２は第２面１２２の黒板が撮像デバイス１７に対向する位置まで回転する。このときの状態を図５に示す。つまり、原稿１１は、一旦撮像デバイス１７まで搬送されてきたが、挿入口側へ戻されており、プラテン１２の第２面１２２が撮像デバイス１７と対向している。プラテン１２の回転は、図５に示すように回転方向１９の方向（図５では時計回り）である。つまり、撮像デバイス１７に対向するプラテン１２の面が、第１面１２１から第２面１２２へと替わる方向である。
【００３２】
このプラテン１２の第２面１２２が撮像デバイス１７と対向するように回転するときに原稿１１を止めていてもよいが、原稿１１を引き戻す速度とプラテン１２の回転速度が同じであると、原稿１１に与えるダメージを少なくすることができる。そのため同速度で同時に回転させるのが好ましい。
プラテン１２が回転して、第２面１２２が撮像デバイス１７と対向すると、原稿１１の背面が黒板となるので白い原稿であれば黒領域と白領域がはっきりと区別できる。そのため、それを画像処理すれば原稿サイズが検知できる。この画像処理をさせる際に、第１面１２１が撮像デバイス１７と対向しているときに取得した前記の画像データと組み合わせて比較することにより、さらに黒色原稿であっても原稿サイズを認識させることが可能となる。
原稿１１の引き戻しが終了すると、次に、プラテン１２は第１面１２１の面が撮像デバイス１７に対応するように回転し、通常の画像の読み取りを開始する。この際には、上記で判断した原稿幅サイズのみをメモリに蓄積することで、メモリ使用領域の節約にもなる。すべての原稿読み取りが終われば、次の原稿が挿入されるのを待つ。
【００３３】
図７を用いて、本実施の形態の処理フローを説明する。なお、この処理フローは、画像処理装置に記憶されているプログラムによって動作する。
ステップＳ７０１では、プラテン１２の第３面１２３を撮像デバイス１７に対向させる。
ステップＳ７０２では、シェーディング補正を実行する。
ステップＳ７０３では、プラテン１２を回転させ、第１面１２１を撮像デバイス１７に対向させる。
ステップＳ７０４では、原稿検知センサー１４Ａが原稿１１を検知したか否かを判断し、検知するまで待つ。原稿１１を検知した場合は、ステップＳ７０５へ進む。
ステップＳ７０５では、フィードインローラー１３Ｂを正回転させる。これによって、原稿１１が挿入口から撮像デバイス１７への方向に搬送されることになる。
【００３４】
ステップＳ７０６では、原稿１１をある一定の距離（１０ｃｍ程度）搬送したか否かを判断し、搬送するまで待つ。搬送した場合はステップＳ７０７へ進む。なお、ここでの原稿１１を搬送する一定距離は、本装置が対象とする原稿サイズ等によって任意に設定可能である。
ステップＳ７０７では、フィードインローラー１３Ｂを停止する。
ステップＳ７０８では、プラテン１２を回転させ、第２面１２２を撮像デバイス１７に対向させる。
ステップＳ７０９では、フィードインローラー１３Ｂを逆回転させる。これによって、原稿１１が挿入口に戻る方向に搬送されることになる。
ステップＳ７１０では、原稿１１をある一定の距離（１０ｃｍ程度）戻したか否かを判断し、その距離分戻すまで待つ。戻した場合はステップＳ７１１へ進む。戻す距離は、ステップＳ７０６と同程度の距離とする。
ステップＳ７１１では、フィードインローラー１３Ｂを停止する。
【００３５】
ステップＳ７１２では、プラテン１２を回転させ、第１面１２１を撮像デバイス１７に対向させる。
ステップＳ７１３では、フィードインローラー１３Ｂを正回転させる。これによって、原稿１１が挿入口から撮像デバイス１７への方向に搬送されることになる。
ステップＳ７１４では、原稿１１の読み取りを開始する。この処理そのものは通常行う画像読み取りと同様である。
ステップＳ７１５では、ステップＳ７１４での原稿１１の画像読み取りが終了したか否かを判断し、終了するまで待つ。終了したらステップＳ７１６へ進む。
ステップＳ７１６では、原稿１１の画像読み取りが終了したので、フィードインローラー１３Ｂを停止させる。
【００３６】
第２の実施の形態を説明する。
第２の実施の形態の画像読み取り装置は、主に透過原稿を読み取るのに適したものである。ここで透過原稿とは、レントゲン写真やＯＨＰ用紙のように原稿の裏面から光を照射させて見るのに適している原稿である。
透過原稿を読み取る場合には、第１の実施の形態のプラテン１２の第１面１２１の白板面を透過タイプの乳白色アクリル板を使用した第１面１２１Ｂとする。そして、プラテン１２の第１面１２１Ｂ、第２面１２２、第３面１２３、第４面（原稿挿入ガイド面）１２４を背後（つまり、撮像デバイス１７と対向する面の裏側）から照射する位置に光源６２を設ける。このような構成にすることにより、プラテン１２内部に配置された光源６２を点灯させることにより、バックライト装置を形成することができる。この構成を図６に示す。
【００３７】
この透過タイプの白板である第１面１２１Ｂは、第１の実施の形態で説明した白板（第１面１２１）とは別な面として実現してもよい。つまり、４面ではなく５面とすることも可能である。
また、挿入された原稿１１がどのくらいの透過度を有しているのかを知るために、原稿挿入直後を検知できる位置に透過度を測定するセンサー（照度センサー６３）を配置する。そして、挿入された原稿の透過度を、その照度センサー６３によって測定し、所定の透過度を超えていた場合には、前記の光源６２を点灯させるとともに、プラテン１２を透明な白板（第１面１２１、第１面１２１Ｂ）を有している面まで回転させる。これにより、透過原稿を画像のぼけがなく色再現も忠実な画像として取得することができる。
【００３８】
前記実施の形態においては、プラテン１２の側面形状が扇状であるものを示したが、円状の形状であってもよい。つまり、第１面１２１、第２面１２２、第３面１２３、第４面（原稿挿入ガイド面）１２４の面で、周囲を囲んだプラテンである。また、円状の場合は、第１面１２１、第２面１２２、第３面１２３、第４面（原稿挿入ガイド面）１２４の面が複数組あるものであってもよい。もちろん、透過タイプの第１面１２１Ｂを組み合わせてもよい。
また、本実施の形態はスキャナを例示したが、複写機、ファックス、複合機（多機能複写機とも呼ばれ、スキャナ、プリンタ、複写機、ファックス等の機能を有している）等にも転用可能である。
本実施の形態では原稿挿入方式としたが、スタックされた原稿を高速に読み取るＣＶＴ方式（プラテン板とイメージセンサーが固定）においても適用可能である。
【００３９】
なお、説明したプログラムについては、記録媒体に格納することも可能であり、その場合は、例えば以下の発明としても把握することができる。
原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段
を具備し、
前記プラテンは前記画像読み取り手段に対向する面は複数色である、画像読み取り装置に、
前記原稿搬送手段によって原稿を搬送する手順と、
前記原稿搬送手段による搬送に合わせて前記複数の面を移動させる手順と、
前記画像読み取り手段によって前記原稿搬送手段により搬送される原稿の画像を読み取らせる手順
を実行させることを特徴とする画像読み取り装置制御プログラムを記録した画像読み取り装置読み取り可能な記録媒体。
【００４０】
原稿を搬送する原稿搬送手段と、
前記原稿搬送手段により搬送される原稿の背面から該原稿を押さえるためのプラテンと、
前記原稿搬送手段により搬送される原稿の画像を読み取る画像読み取り手段と、
ある特定の位置に配置された原稿通過センサー
を具備し、
前記プラテンは前記画像読み取り手段に対向する面は複数色である、画像読み取り装置に、
原稿が挿入されるまでは、前記画像読み取り手段に対向する面のプラテンを色補正用基準の面とする手順と、
前記原稿通過センサーで前記原稿が特定の位置を通過することを検知すると、前記画像読み取り手段に対向する面のプラテンを前記色補正用基準の面以外の面とする手順
を実行させることを特徴とする画像読み取り装置制御プログラムを記録した画像読み取り装置読み取り可能な記録媒体。
【００４１】
「プログラムを記録した画像読み取り装置読み取り可能な記録媒体」とは、プログラムのインストール、実行、プログラムの流通などのために用いられる、プログラムが記録された画像読み取り装置で読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００４２】
【図１】画像読み取り装置の構成例を示した側面図である。
【図２】画像読み取り装置の構成例を示した斜視図である。
【図３】画像読み取り装置のプラテンの構成例を示した側面図である。
【図４】画像読み取り装置の構成例を示した側面図である。
【図５】画像読み取り装置の構成例を示した側面図である。
【図６】第２の実施の形態に係る画像読み取り装置の構成例を示した側面図である。
【図７】画像読み取り制御によって実行される処理の一例を示したフローチャートである。
【符号の説明】
【００４３】
１１…原稿
１２…プラテン
１３Ａ…ピンチシャフト（前）
１３Ｂ…フィードインローラー
１３Ｃ…ピンチシャフト（後）
１３Ｄ…ＥＸＩＴローラー
１４Ａ…原稿検知センサー
１４Ｂ…フィードインセンサー
１５…ガラス
１７…撮像デバイス
１９…回転方向
２１…駆動装置
２２…ギア
２３…バッフル（前）
６１…光源
６２…光源
６３…照度センサー
１２１…第１面
１２２…第２面
１２３…第３面
１２４…第４面（原稿挿入ガイド面）
【図１】
2008005097.tif 000003
【図２】
2008005097.tif 000004
【図３】
2008005097.tif 000005
【図４】
2008005097.tif 000006
【図５】
2008005097.tif 000007
【図６】
2008005097.tif 000008
【図７】
2008005097.tif 000009